(57)【要約】  本発明は、被印刷材料に印刷を行う方法に関する。当該方法においては、被印刷材料に対して印刷版をベースとする印刷方法を介して、特に、オフセット式印刷方法を介して、印刷注文の印刷複製物全てに対して等しい、すなわち静的な印刷画線部が印刷されるとともに、前記印刷版をベースとする印刷方法に加えて、印刷版のない印刷方法を介して、特にインクジェット式印刷方法を介して、前記印刷注文の前記印刷複製物に対して可変すなわち動的な印刷画線部が印刷される。本発明によれば、前記被印刷材料に前記静的および動的な印刷を行った後、各印刷複製物は、少なくとも部分ごとに測定技術によって検知されるとともに記録され、それによって、各印刷複製物は当該印刷複製物の真正性に関して検証可能である。【特許請求の範囲】
【請求項１】
被印刷材料に印刷を行う方法であって、当該被印刷材料に対して印刷版をベースとする印刷方法を介して、特にオフセット式印刷方法を介して、印刷注文の印刷複製物全てに対して等しい、すなわち静的な印刷画線部が印刷されるとともに、前記印刷版をベースとする印刷方法に加えて、印刷版のない印刷方法を介して、特にインクジェット式印刷方法を介して前記印刷注文の前記印刷複製物に対して可変すなわち動的な印刷画線部が印刷される方法において、
前記被印刷材料に前記静的な印刷および前記動的な印刷を行った後、各印刷複製物は少なくとも部分ごとに測定技術によって検知されるとともに記録され、それによって、各印刷複製物は、当該印刷複製物の真正性に関して検証可能であることを特徴とする方法。
【請求項２】
前記被印刷材料に前記静的な印刷および前記動的な印刷を行った後、各印刷複製物において、少なくとも前記動的な印刷画線部は、少なくとも部分ごとに測定技術によって検知されるとともに記録されることを特徴とする請求項１に記載の方法。
【請求項３】
前記動的な印刷画線部の近傍で当該動的な印刷画線部を印刷する際に生じるパターンおよび／または人為産物が検知され、および／あるいは前記動的な印刷画線部の近傍で前記静的な印刷画線部を印刷する際に生じるパターンおよび／または人為産物が検知され、および／あるいは前記動的な印刷画線部の近傍で前記被印刷材料の特性が検知され、前記パターンおよび／または人為産物および／または被印刷材料の特性に基づいて各印刷複製物の真正性が測定技術によって検知されるとともに記録されることを特徴とする請求項１または２に記載の方法。
【請求項４】
少なくとも前記動的な印刷画線部を検知するためにセンサが用いられ、当該センサは、デジタル化された測定画像をデータバンクに格納することを特徴とする請求項１から３のいずれか一項に記載の方法。
【請求項５】
センサとしてカメラが用いられ、当該カメラの解像度および／または露光時間は、印刷速度に適応されることを特徴とする請求項４に記載の方法。
【請求項６】
前記印刷複製物の前記測定技術による検知は、前記印刷複製物に前記動的な印刷を行うことに対してインラインで行われることを特徴とする請求項１から５のいずれか一項に記載の方法。
【請求項７】
前記印刷複製物の前記測定技術による検知は、前記印刷複製物に前記動的な印刷を行うことに対してオフラインで行われることを特徴とする請求項１から５のいずれか一項に記載の方法。
【請求項８】
前記動的な印刷は、前記静的な印刷に対してインラインまたはオフラインで行われることを特徴とする請求項１から７のいずれか一項に記載の方法。
【請求項９】
具体的な印刷複製物の真正性を検証するために、当該印刷複製物が測定技術によって検知され、このとき検出された測定値は、前記印刷複製物に前記静的な印刷および前記動的な印刷を行った後に検出されるとともにデータバンクに記録された測定値と比較されることを特徴とする請求項１から８のいずれか一項に記載の方法。
【発明の詳細な説明】
【技術分野】
【０００１】
本発明は請求項１のおいて書き部に記載の被印刷材料に印刷を行うための方法に関する。
【背景技術】
【０００２】
印刷版をベースとする、好適にオフセット印刷方式で作動する印刷機、例えばロール紙輪転印刷機および枚葉紙印刷機において、インクジェット式印刷装置のような印刷版のない印刷装置が用いられることが増えている。当該インクジェット式印刷装置は、オフセット印刷を介して製造された印刷製品を、例えばバーコード、ナンバリング、またはその他の標識によって特徴付けるために用いられる。印刷版をベースとする印刷方法は被印刷材料に、印刷注文のための印刷複製物全てに対して等しい、すなわち静的な印刷画線部を印刷するために用いられる。印刷版のない印刷方法を用いると、静的な印刷画線部が印刷された被印刷材料に対して、印刷版をベースとする、すなわち静的な印刷を行うことに加えて、印刷注文のための印刷複製物に対して可変、すなわち動的な印刷画線部を印刷することが可能である。
【０００３】
上記の方法によって、印刷版をベースとする印刷方法を介して静的な印刷画線部が印刷された被印刷材料を、例えばギャンブルや宝くじのために、印刷版のない印刷方法を介して動的な印刷画線部、特に全単写の抽選番号によって完成させる必要がある場合、製造される各印刷複製物が偽造不能な唯一例であることが重要である。特に、ギャンブルや宝くじの商業的な価値ゆえに潜在的な偽造者にとって、印刷複製物を偽造する関心が増大する場合、この点は有意義である。
【０００４】
印刷版をベースとする印刷方法を介して静的な印刷画線部が印刷された被印刷材料に対して、印刷版をベースとする印刷を行うことに加えて、印刷版のない印刷方法を介して偽造不能に動的な印刷画線部が印刷され得ることが保証されるような方法は、従来知られていない。
【発明の概要】
【発明が解決しようとする課題】
【０００５】
上記の点に鑑み、本発明は、被印刷材料に印刷を行う新規な方法を提供することを課題とする。当該課題は、請求項１に記載の方法によって解決される。本発明によれば、被印刷材料に静的な印刷および動的な印刷を行った後、各印刷複製物は少なくとも部分ごとに測定技術によって検知されるとともに記録され、それによって、各印刷複製物は当該印刷複製物の真正性に関して検証可能となっている。
【課題を解決するための手段】
【０００６】
本発明に係る方法によって提案されるのは、以下の点である。すなわち、被印刷材料に静的および動的な印刷を行った後、各印刷複製物は少なくとも部分ごとに測定技術によって検知されるとともに記録され、それによって、特に各印刷複製物の動的な印刷画線部は当該動的な印刷画線部の真正性に関して検証可能であるというものである。データバンクに記録された測定データと印刷複製物との比較を介して、印刷複製物が真正であるか、偽造されたものであるかが常に明確に検証され得る。
【０００７】
本発明の好適なさらなる構成は、従属請求項と以下の詳細な説明とに記載されている。図面を参照しながら本発明の実施の形態をより詳しく説明する。図面に示すのは以下の通りである。
【図面の簡単な説明】
【０００８】
【図１】本発明に係る被印刷材料に印刷を行う方法を明らかにするための第一の概略図である。
【図２】本発明に係る被印刷材料に印刷を行う方法を明らかにするための第二の概略図である。
【発明を実施するための形態】
【０００９】
本発明は被印刷材料に印刷を行う方法であって、被印刷材料に印刷版をベースとする印刷方法で、および当該印刷版をベースとする印刷方法に加えて、好ましくはインラインで、印刷版のない印刷方法で印刷を行う方法に関する。印刷版をベースとする印刷方法とは、好適にオフセット式印刷方法である。印刷版のない印刷方法とは、好適にインクジェット式印刷方法である。本発明に係る方法は、特にロール紙輪転印刷機に応用される。
【００１０】
印刷版をベースとする印刷方法によって、被印刷材料には、印刷注文の印刷複製物全てに対して等しい、すなわち静的な印刷画線部が印刷される。当該印刷版をベースとする印刷方法に対して、好ましくはインラインで、印刷すべき被印刷材料には、印刷版のない印刷方法を介して印刷注文の印刷複製物全てに対して可変もしくは動的な印刷画線部が印刷される。これは、例えばギャンブルもしくは宝くじの場合、抽選番号などの明確な識別コードである。従って各印刷複製物は唯一例であって、偽造不能でなければならない。
【００１１】
本発明に係る方法によって提案されるのは、以下の点である。すなわち、被印刷材料に静的および動的な印刷を行った後、各印刷複製物を少なくとも部分ごとに測定技術によって検知するとともに測定値を記録し、それによって、少なくとも各印刷複製物の動的な印刷画線部は、当該動的な印刷画線部の真正性に関して検証可能であるというものである。このとき、被印刷材料の測定技術による検知は、被印刷材料に印刷版をベースとする印刷、もしくは静的な印刷を行うこと、および印刷版のない印刷、もしくは動的な印刷を行うことに対して好適にインラインで行われる。被印刷材料の測定技術による検知は、静的な印刷および動的な印刷を行うことに対してオフラインで行うこともできる。
【００１２】
各印刷複製物は好適に少なくとも部分ごとに、動的な印刷画線部の領域において測定技術によって検知される。さらに、動的な印刷画線部の近傍で当該動的な印刷画線部を印刷する際に生じるパターンおよび／または人為産物を検知し、および／あるいは動的な印刷画線部の近傍で静的な印刷画線部を印刷する際に生じるパターンおよび／または人為産物を検知し、および／あるいは動的な印刷画線部の近傍で被印刷材料の特性自体を検知し、それによって、相応の測定データに基づいて各印刷複製物の真正性を検証可能とすることができる。
【００１３】
各印刷複製物を測定技術によって検知するために、好適にセンサが用いられる。当該センサは、被印刷材料の、測定技術によって検知された部分のデジタルな測定画像を作り出すとともにデータバンクに格納する。このとき、好適にカメラが用いられ、当該カメラの解像度および露光時間は、被印刷材料に静的な印刷および動的な印刷を行う印刷速度に適応される。
【００１４】
図１は印刷が行われた被印刷材料の動的な印刷画線部１０の領域を示す部分図である。図１では動的な印刷画線部１０として被印刷材料に「１」が印刷されている。図２はカメラを用いて作り出された、図１に示す被印刷材料領域のデジタル化された測定画像を示している。
【００１５】
図１および図２から直接的に読み取れるように、被印刷材料の測定すべき部分は、動的な印刷画線部１０の領域において特徴的な性質を有しており、当該特徴的な性質は真正性の検査のために用いられ得る。すなわち、動的な印刷画線部１０、すなわち動的に印刷された「１」の輪郭１１は、個々のエッジ特性を有しており、当該個々のエッジ特性は、各印刷複製物ごとに異なって現れる。
【００１６】
さらに、動的な印刷画線部１０の周囲、すなわち印刷された「１」の周囲には、特徴的もしくは偶然のパターン又は人為産物が生じ、当該パターン又は人為産物も同様に印刷された各印刷複製物ごとに異なっている
【００１７】
本来の印刷画線部の周囲におけるパターン又は人為産物１２は例えば、被印刷材料が当該部分において印刷インキの拡大に影響を及ぼす偶然の特性を有していることによって生じる。
【００１８】
また、パターン又は人為産物１３は、本来塗布すべき印刷インキの滴とともにさらにいわゆる付随的な滴が偶然に被印刷材料に到達することによって生じ得る。
【００１９】
また、パターン又は人為産物１４は、高い運動エネルギーを有して被印刷材料に当たる印刷インキの滴が衝突の際に散乱し、偶然に被印刷材料の本来の印刷画線部の周囲に撒き散らされることによって生じ得る。
【００２０】
さらに、被印刷材料の特徴的な紙の繊維が、本来の動的な印刷画線部の周囲においてパターン１５として検知され、印刷複製物の真正性の証明として参照され得る。
【００２１】
前記の偶然のパターン又は人為産物は、各印刷複製物ごとに異なっており、実践から知られている画像処理方法、例えばデジタル・フィルター、二値化処理、またはエッジ評価アルゴリズムを介して検出され得る。
【００２２】
ひとたび印刷されるとともに記録された印刷複製物が、後から操作された場合、データバンクとの比較を介して当該印刷複製物の真正性を検証することができる。具体的な印刷複製物の真正性を検証するために、当該印刷複製物は測定技術によって検知され、このとき、検出された測定値は、当該印刷複製物に静的な印刷および動的な印刷を行った後に検出されるとともにデータバンクに記録された測定値と比較される。従って、動的な印刷画線部と印刷複製物との間には明確な関連がある。さらに、例えば、宝くじにおいて、全ての抽選番号が印刷され、それとともに割り当てらたかどうか、検査することもできる。
【符号の説明】
【００２３】
１０  動的な印刷画線部
１１  輪郭
１２  パターン又は人為産物
１３  パターン又は人為産物
１４  パターン又は人為産物
１５  パターン
【図１】
2010538876.tif 000002
【図２】
2010538876.tif 000003
【国際調査報告】
2010538876.tif 000004
2010538876.tif 000005
2010538876.tif 000006
2010538876.tif 000007
2010538876.tif 000008
2010538876.tif 000009